(57)【要約】【課題】耐久性に優れると共に、遠くまでキャストでき、ストレートリトリーブでも機敏な動きを与えることができ、且つ、根掛りし難いルアーを提供する。【解決手段】金属製板状のリップ３を０．１〜０．８ｍｍの厚さに形成するようにしたルアーである。また、リップ３の少なくとも縁部を樹脂８により被覆するようにしたルアーである。また、リップ３に開口９を設けるようにしたルアーである。【選択図】      図１
2004298134.tif 000002
【特許請求の範囲】
【請求項１】
金属製板状リップを備えたルアーにおいて、リップが０．１〜０．８ｍｍの範囲の厚さに形成されたことを特徴とするルアー。
【請求項２】
金属製板状リップを備えたルアーにおいて、リップの少なくとも縁部に樹脂が被覆されたことを特徴とするルアー。
【請求項３】
金属製板状リップを備えたルアーにおいて、リップに開口が設けられたことを特徴とするルアー。
【発明の詳細な説明】
【０００１】
【発明の属する技術分野】
本発明は、魚釣りにおいて擬餌鉤として使用するルアーに関する。
【０００２】
【従来の技術】
この種のルアー１Ｘにおいては、従来はコスト削減を図る観点から、図５に示したように外形を餌としての小魚などに似せて作るルアー本体２と、ルアー本体２から前方に突設されたリップ３とは、多くの場合樹脂などにより一体に作製されている（特許文献１参照）。
【０００３】
リップ３は、▲１▼ルアー１Ｘに実際の魚に似た動きをさせる、▲２▼ルアー１Ｘが激しく動いて釣りの対象魚に注目させる、などしてルアー１Ｘが餌であると思わせて飛び掛らせ、ルアー本体２に取り付けてある釣鉤４に魚を掛けて釣り上げるために設けるものであるので、遠くまでキャストできるようにキャスティング時は空気抵抗が大きくならず、水中ではルアー１Ｘが機敏な動きをするように薄く作製する必要があるが、従来のルアー１Ｘの樹脂製のリップ３では薄くすると岩などにぶつかったときに破損し、直ぐに使い物にならなくなるので、リップ３はルアー本体２の大きさにもよるが、多くの場合１ｍｍ程度以上の厚さに形成され、飛距離と機敏な動きとは犠牲にされていた。
【０００４】
【特許文献１】
特開２００１−１７０３２（図１）
【０００５】
【発明が解決しようとする課題】
したがって、耐久性に優れていることは勿論、遠くまでキャストでき、ストレートリトリーブのときにも機敏な動きを与えることができ、且つ、根掛りし難いルアーを提供する必要があり、それが解決すべき課題となっていた。
【０００６】
【課題を解決するための手段】
上記課題を解決すべく本発明は、金属製板状リップを備えたルアーにおいて、リップを０．１〜０．８ｍｍの範囲の厚さに形成するようにした第１構成のルアーと、リップの少なくとも縁部に樹脂を被覆するようにした第２構成のルアーと、リップに開口を設けるようにした第３の構成のルアーと、を提供するものである。
【０００７】
【発明の実施の形態】
以下、本発明の実施形態を図１〜図４に基づいて詳細に説明する。図１に例示した本発明のルアー１は、木、合成樹脂、金属などの適宜の素材により魚に似せて作製されたルアー本体２と、その前端部に金属により作製されてやや下向きに取り付けられた薄板状のリップ３とを備えている。
【０００８】
本発明のルアー１においても、従来のルアー１Ｘと同様にルアー本体２の腹側中程と、尾部側には釣鉤４が取り付けられている。また、リップ３の上面中程には道糸５を結び付けるためのリング状の接続部６が設けられている。
【０００９】
そして、本発明のルアー１においては、リップ３はアルミニウム合金、マグネシウム合金、ステンレス鋼など、あるいは銅系、鉄系、ニッケルチタン系などの超弾性合金により、０．１〜０．８ｍｍの厚さに形成される。
【００１０】
すなわち、本発明のルアー１においては、ルアー本体２の前部に薄く形成したリップ３が取り付けられているため、リーリングやロッドアクションに応じた切れの良い、換言すれば機敏なアクションが得られる。
【００１１】
また、キャスティング時の空気抵抗が大きくならないようにリップ３は薄く形成されているが、樹脂より堅牢な金属により形成してあるので岩などにぶつけても、従来の樹脂製リップよりは格段に壊れ難く、耐久性も大幅に向上した。
【００１２】
また、金属製のリップ３が前方に突設されているので、根などの障害物に衝突したときには、リップ３が樹脂製のときより明瞭に分かるなど、感度が改善される。
【００１３】
なお、リップ３の少なくとも縁部には樹脂が被覆される。例えば、リップ３は、金属製のリップ基板が装着された型に溶融樹脂を注入してリップ基板の周囲に樹脂を被覆する、いわゆるインサート成型などにより樹脂被覆される。
【００１４】
上記のようにリップ３の表面は樹脂被覆されるので、図示しない金属製プレートを打ち抜きプレス加工などして所定形状のリップ基板３Ａを作製する際に、例えば図２に示したようにリップ基板３Ａの縁部に多少のバリ７が残っていても、そのバリ７は被覆する樹脂８によって覆われるので、接続部６に道糸５を結び付けてルアー１をキャストしたときに、道糸５がリップ（接続部６を含む）３と接触しても、道糸５は実際には樹脂８と接触するだけであり、道糸５がバリ７により傷つけられたり、切断されることがない。
【００１５】
リップ３は、図３に示したように先端側などに開口９を設けることが可能である。リップ３を図３に示したように開設することにより、平面部分の表面積を従来のリップと同じ潜行能力を有するように、すなわち平面部分の大きさ、取り付け角度が従来リップのときと同じになるよう形成／取り付けても、ルアー本体２の先端からリップ３の先端までの寸法は、従来リップのときより遥かに大きくすることができる。
【００１６】
したがって、大きな開口９を有し、前後方向に長く形成されたリップ３を備えたルアー１においては、斜め下向きに取り付けられたリップ３の平板部分の作用によりリーリング中に潜行し、例えば図４に示したように根１０に衝突することがあっても、根１０に衝突するのは多くの場合リップ３の先端部であり、リップ３の先端部が根１０に衝突しても釣鉤４と根１０との間隔は大きく保たれるため、釣鉤４は根１０に引っ掛かり難い。すなわち、釣鉤４は根掛りし難い。
【００１７】
しかも、開口９を有するリップ３の表面積と体積は、開口９を備えない形状のリップより大きく増加することはないので、キャストしたときの空気抵抗とリーリング時の水抵抗の増加は小さく、したがってキャストしたときの飛距離と、リーリング時のアクション性能は、開口９があっても殆ど変らない。
【００１８】
すなわち、開口９が開設されたリップ３を有する図３に示す構成のルアー１は、キャストしたときの飛距離、リーリング時の潜行性能、アクション性能では、開口９が開設されていないリップ３を備えた従来のルアーと同等の性能を維持しながら、根掛りし難いルアーとなった。
【００１９】
また、リップ３を大きく形成しても質量の増加が抑えられるので、全体の質量バランスが崩れる懸念がなく、したがってリーリングやロッドアクションによりルアー１に与えるアクション性能に制限が加えられることもない。
【００２０】
リップ３が弾性変形領域の広い金属により作製されていると、例えばリーリング中に先端部が図４に示したように根１０に衝突し、引っ掛かることがあっても、ルアー１が道糸５により強く引っ張られると、リップ３が図４に示したように撓んで根１０から外れ、障害物を乗り越えることが可能になり、且つ、障害物を乗り越えた後は元の形状に自然に戻るので一層好ましい（但し、変形が弾性変形領域内の場合）。
【００２１】
また、リップ３が上記のように、▲１▼障害物に引っ掛かる、▲２▼リップ３が撓みながらリーリングに耐える、▲３▼回動して乗り越える、ときには単純なリーリングをしているときよりも、魚が潜んでいる確率の高い場所にルアー１が長時間留まることになるし、根掛り状態になったリップ３が撓んで外れるときに今までにない不規則なアクションが生まれ、そのアクションに魚が思わず反応してヒットすることがよくあるので、このような作用効果をリップ３に期待するときには、バネ鋼と称されている高弾性ステンレス鋼、超弾性合金などの弾性変形領域の広い部材を用いてリップ３を作製することが好ましい。
【００２２】
中でも、銅系、鉄系、ニッケルチタン合金などの弾性変形領域が特に広い超弾性金属によりリップ３を作製すると、リップ３は大きく撓んでも力が作用しなくなると元の形状に自然に戻るので（但し、変形が弾性変形領域内の場合）、ルアー１が図４に示したような根掛り状態になっても、道糸５を強く引くだけで簡単に外れることが多く、且つ、リップ３が自然に元に戻るので特に好ましい。
【００２３】
一方、アルミニウム合金、マグネシウム合金などの比重の小さい金属によりリップ３を作製するときには、ルアー本体２を樹脂製とするときに、釣鉤４が根掛りし難くなるようにリップ３を前後方向に大きく形成しても、ルアー１全体の質量バランスを保ち易いと云った利点がある。
【００２４】
また、リップ３の前端側は鳩尾状などに形成されても、前記図１に示した形状のリップ３を備えたルアー１と同様の作用効果を奏することが可能である。
【００２５】
また、リップ３の開口９は、ルアー本体２の前方に突出している平板部分の面積と同等以上の割合で設けると、リップ３の軽量化と、キャストしたときの空気抵抗およびリーリング中の水抵抗を下げる効果が顕著になるので好ましい。
【００２６】
なお、リップ３に開口９を設けないときには、軽量化を図る観点から０．１〜０．３ｍｍ程度の薄板材を用いてリップ３を作製するのが好ましいが、開口９の面積比率が大きいリップ３を作製するときには、０．３〜０．８ｍｍ程度の厚い板材を用いてリップ３を作製しても軽量化の障害になることはない。
【００２７】
また、ルアー本体２は必ずしも魚に似せる必要はないし、道糸５を結び付けるための接続部６はルアー本体２の魚で云う頭部近辺から背中側に設けられても良いし、鼻先などに設けられても良い。
【００２８】
なお、接続部６は前記図１、図３に示したようにリップ３に取着した目玉状の開口を有するアイに回動自在に取り付けられたリングであっても良いし、図４に示したようにリップ３に取り付けられたアイ自体であっても良い。
【００２９】
また、接続部６となるアイ自体、或いは接続部６となるリングが取り付けられるアイは、例えば図４に示したように線状部材の一端に形成したアイをリップ３に開設した小孔の上に配置し、小孔に挿し通された線状部材の他端をルアー本体２の前端部に埋設・固定などしてリップ３の上面に取り付けても良いし、接着、溶接、嵌合などによりリップ３の上面に取り付けられても良い。
【００３０】
また、リップ３はルアー本体２に水平に取り付けられても良いし、開口９はリップ３に分散して複数個設けられても良い。
【００３１】
【発明の効果】
上記したように本発明は、金属製板状リップを備えたルアーにおいて、リップを０．１〜０．８ｍｍの範囲の厚さに形成するようにしたルアーであるので、リーリングやロッドアクションによりルアーにシャープなアクションを与えることができる。
【００３２】
また、金属製のリップが前方に突設されているので、根などの障害物に衝突したときには、リップが樹脂製のときより明瞭に分かるなど、感度の高いルアーとすることができる。
【００３３】
また、金属製板状リップを備えたルアーにおいて、リップの少なくとも縁部に樹脂を被覆するようにしたルアーであるので、リップを打ち抜きプレス加工などにより作製する際に、縁部に多少のバリが残っていても、バリは樹脂により被覆されて表面に露出することはない。
【００３４】
そのため、接続部に道糸を結び付けてルアーをキャストしたときに、道糸がリップ（接続部を含む）と接触しても、道糸は実際には樹脂と接触するだけであり、道糸がバリにより傷つけられたり、切断されることがない。
【００３５】
また、金属製板状リップを備えたルアーにおいて、リップの先端側に開口を設けるようにしたルアーにおいては、キャスティング時の飛距離、リーリング時の潜行性能、アクション性能が開口を備えないリップを有する従来のルアーと同等となるように、平面部分の大きさ、取り付け角度を従来リップのときと同じになるよう形成／取り付けても、ルアー本体の先端からリップの先端までの寸法を、従来リップのときより遥かに大きくすることができる。
【００３６】
そのため、リーリング中にルアーが根などの障害物に衝突することがあっても、障害物に衝突するのは多くの場合前方に突設されたリップの先端部である。したがって、リップの先端部が根などの障害物に衝突しても、ルアー本体の中程や尾部側に取り付けられる釣鉤と障害物との間隔は大きく保たれ、釣鉤は障害物に引っ掛かり難い。すなわち、釣鉤は根掛りし難い。
【００３７】
また、開口を有するリップの場合は、リップを大きく形成しても質量の増加が抑えられるので、全体の質量バランスが崩れる懸念がなく、したがってリーリングやロッドアクションによりルアーに与えるアクション性に制限が加えられることもない。
【００３８】
さらに、リップを高弾性ステンレス鋼、超弾性合金などの弾性変形領域の広い素材を用いて作製することにより、根掛りしたルアーは外れ易くなる。また、根掛りを外す際に撓んだリップは、元の形状に自然に戻るので一層好ましい（但し、変形が弾性変形領域内の場合）。
【図面の簡単な説明】
【図１】本発明のルアーの構成を示す説明図である。
【図２】本発明のルアーの要部を示す説明図である。
【図３】本発明のルアーの他の構成を示す説明図である。
【図４】本発明のルアーの使用状況を示す説明図である。
【図５】従来技術を示す説明図である。
【符号の説明】
１  ルアー
２  ルアー本体
３  リップ
３Ａ  リップ基板
４  釣鉤
５  道糸
６  接続部
７  バリ
８  樹脂
９  開口
１０  根
【図１】
2004298134.tif 000003
【図２】
2004298134.tif 000004
【図３】
2004298134.tif 000005
【図４】
2004298134.tif 000006
【図５】
2004298134.tif 000007